(57)【要約】【課題】毛髪の先端にダメージを与えることなくパーマネントウエーブや染毛などの各種毛髪処理を容易に行い得る毛髪処理方法及び毛髪処理器具を提供すること。【解決手段】本発明の毛髪処理器具は、一端部が毛髪取り込み口２ａとなっている細長筒形状の毛髪保持具２と、毛髪保持具２内に保持された毛束を毛髪保持具２と共に所定形状に巻き上げる巻き上げ手段４とを備えている。毛髪保持具２の側面には少なくとも一カ所の開口部９が形成されており、毛髪保持具２内に保持された毛束の先端が、開口部２を通じて毛髪保持具２の外部に出るようになされている。【選択図】    図１
2004194901.tif 000002
【特許請求の範囲】
【請求項１】
一端部が毛髪取り込み口となっている細長筒形状の毛髪保持具と、該毛髪保持具内に保持された毛束を該毛髪保持具と共に所定形状に巻き上げる巻き上げ手段とを備えた毛髪処理器具であって、該毛髪保持具の側面には少なくとも一カ所の開口部又はスリット部が形成されており、該毛髪保持具内に保持された毛束の先端が、該開口部又は該スリット部を通じて該毛髪保持具の外部に出るようになされている毛髪処理器具。
【請求項２】
一端部が毛髪取り込み口となっている細長筒形状の毛髪保持具と、該毛髪保持具内に保持された毛束を該毛髪保持具と共に所定形状に巻き上げる巻き上げ手段とを備えた毛髪処理器具であって、該毛髪保持具には該毛髪保持具を幅方向に切断してその長さを調整するための切断可能なミシン目が少なくとも一カ所設けられている毛髪処理器具。
【請求項３】
前記巻き上げ手段が、前記毛髪保持具の側面に沿ってスパイラル状に取り付けられた巻き上げ用糸からなり、該巻き上げ用糸は、扁平な状態となした該毛髪保持具における左右両側部に互い違いに形成された挿通孔に、ジグザグの軌跡を描くように挿通されることで、該毛髪保持具に取り付けられている請求項１又は２記載の毛髪処理器具。
【請求項４】
前記巻き上げ手段が、前記毛髪保持具の側面に沿って直線状に取り付けられた巻き上げ用糸からなり、該巻き上げ用糸は、扁平な状態となした該毛髪保持具における長手方向に沿って所定間隔をおいて形成された挿通孔に、ぐし縫い状の軌跡を描くように挿通されることで、該毛髪保持具に取り付けられている請求項１又は２記載の毛髪処理器具。
【請求項５】
一端部が毛髪取り込み口となっている細長筒形状の毛髪保持具と、該毛髪保持具内に保持された毛束を該毛髪保持具と共に所定形状に巻き上げる巻き上げ手段とを備えた毛髪処理器具であって、該巻き上げ手段は該毛髪保持具の側面に沿って該毛髪保持具に取り付けられている巻き上げ用糸からなり、該巻き上げ用糸における該毛髪保持具の側面に沿う部分に、該巻き上げ用糸を引っ張ることによる該毛束の所定量以上の巻き上げを規制するためのストッパーが取り付けられている毛髪処理器具。
【請求項６】
一端部が毛髪取り込み口となっている細長筒形状の毛髪保持具の側面に少なくとも一カ所の開口部又はスリット部が形成されている該毛髪保持具に毛束を挿入し、該毛髪保持具内に保持された状態の該毛束を該毛髪保持具と共に所定形状に巻き上げる前又は巻き上げた後に、前記開口部又は前記スリット部を通じて該毛束の先端を該毛髪保持具の外部に引き出し、然る後、該毛束に毛髪処理剤を施す毛髪処理方法。
【請求項７】
一端部が毛髪取り込み口となっている細長筒形状の毛髪保持具であって且つ該毛髪保持具を幅方向に切断してその長さを調整するための切断可能なミシン目が少なくとも一カ所設けられている該毛髪保持具に毛束を挿入し、次いで該毛束の先端に最も近い位置に設けられている該ミシン目において該毛髪保持具を切断して該毛束の先端を該毛髪保持具の外部に出し、この状態下に該毛束を該毛髪保持具と共に所定形状に巻き上げ、然る後、該毛束に毛髪処理剤を施す毛髪処理方法。
【発明の詳細な説明】
【０００１】
【発明の属する技術分野】
本発明は、所定量の毛髪を容易に取り扱うことのできる毛髪処理器具に関する。また本発明は、該毛髪処理器具を用いた、パーマネントウエーブや染毛などの各種毛髪処理方法に関する。
【０００２】
【従来の技術及び発明が解決しようとする課題】
毛髪のパーマネント処理に先立ち毛髪を巻回させるための器具として、屈曲自在で且つその屈曲形状の保持が可能な塑性変形部材を筒状体の長手方向に沿って取り付けてなり、該筒状体内に毛髪を取り込んだ状態で塑性変形部材を変形させることで毛髪の巻回状態を保持する毛髪巻取具が知られている。この毛髪巻取具を用いてパーマネントウエーブ処理を行う場合には、毛髪を巻回させる前にパーマネント処理液を施し、その後に前記筒状体を手で巻回させるとされている。
【０００３】
しかし、このパーマネントウエーブ処理では、従来と同様に、依然として手で毛髪を巻回させる必要があるので、手間がかかるという欠点がある。また、ヘアスタイルのバリエーションの広がりから、毛髪の先の部分にはウエーブをかけたくないというニーズがある。更に、毛髪はその先端ほどダメージが大きいので、このような理由からも毛髪の先の部分にはウエーブをかけたくないというニーズがある。しかし、前記毛髪巻取具では毛髪全体にウエーブがかかってしまい、そのようなニーズにこたえることはできない。
【０００４】
【特許文献１】
特開平１０−１９２０３６号公報
【０００５】
従って、本発明は、毛髪の所望の部位にパーマネントウエーブや染毛などの各種毛髪処理を容易に行い得る毛髪処理方法を提供することを目的とする。
また本発明は、毛髪の先端にダメージを与えることなくパーマネントウエーブや染毛などの各種毛髪処理を容易に行い得る毛髪処理方法及び毛髪処理器具を提供することを目的とする。
更に本発明は、毛髪の巻き上げを容易に且つ短時間で行い得る毛髪処理器具を提供することを目的とする。
【０００６】
【課題を解決するための手段】
本発明は、一端部が毛髪取り込み口となっている細長筒形状の毛髪保持具と、該毛髪保持具内に保持された毛束を該毛髪保持具と共に所定形状に巻き上げる巻き上げ手段とを備えた毛髪処理器具であって、該毛髪保持具の側面には少なくとも一カ所の開口部又はスリット部が形成されており、該毛髪保持具内に保持された毛束の先端が、該開口部又は該スリット部を通じて該毛髪保持具の外部に出るようになされている毛髪処理器具を提供することにより前記目的を達成したものである。
【０００７】
また本発明は、一端部が毛髪取り込み口となっている細長筒形状の毛髪保持具と、該毛髪保持具内に保持された毛束を該毛髪保持具と共に所定形状に巻き上げる巻き上げ手段とを備えた毛髪処理器具であって、該毛髪保持具には該毛髪保持具を幅方向に切断してその長さを調整するための切断可能なミシン目が少なくとも一カ所設けられている毛髪処理器具を提供することにより前記目的を達成したものである。
【０００８】
また本発明は、一端部が毛髪取り込み口となっている細長筒形状の毛髪保持具と、該毛髪保持具内に保持された毛束を該毛髪保持具と共に所定形状に巻き上げる巻き上げ手段とを備えた毛髪処理器具であって、該巻き上げ手段は該毛髪保持具の側面に沿って該毛髪保持具に取り付けられている巻き上げ用糸からなり、該巻き上げ用糸における該毛髪保持具の側面に沿う部分に、該巻き上げ用糸を引っ張ることによる該毛束の所定量以上の巻き上げを規制するためのストッパーが取り付けられている毛髪処理器具を提供することにより前記目的を達成したものである。
【０００９】
また本発明は、一端部が毛髪取り込み口となっている細長筒形状の毛髪保持具の側面に少なくとも一カ所の開口部又はスリット部が形成されている該毛髪保持具に毛束を挿入し、該毛髪保持具内に保持された状態の該毛束を該毛髪保持具と共に所定形状に巻き上げる前又は巻き上げた後に、前記開口部又は前記スリット部を通じて該毛束の先端を該毛髪保持具の外部に引き出し、然る後、該毛束に毛髪処理剤を施す毛髪処理方法を提供することにより前記目的を達成したものである。
【００１０】
また本発明は、一端部が毛髪取り込み口となっている細長筒形状の毛髪保持具であって且つ該毛髪保持具を幅方向に切断してその長さを調整するための切断可能なミシン目が少なくとも一カ所設けられている該毛髪保持具に毛束を挿入し、次いで該毛束の先端に最も近い位置に設けられている該ミシン目において該毛髪保持具を切断して該毛束の先端を該毛髪保持具の外部に出し、この状態下に該毛束を該毛髪保持具と共に所定形状に巻き上げ、然る後、該毛束に毛髪処理剤を施す毛髪処理方法を提供することにより前記目的を達成したものである。
【００１１】
【発明の実施の形態】
以下本発明を、その好ましい実施形態に基づき図面を参照しながら説明する。図１には、本発明の毛髪処理方法に好ましく用いられる毛髪処理器具の一実施形態の斜視図が模式的に示されている。毛髪処理器具１は、細長形状であり、毛髪の保持が可能になされている毛髪保持具２と毛髪挿入具３と巻き上げ手段としての巻き上げ用糸４とを具備している。
【００１２】
毛髪保持具２は細長筒形状をしており、可撓性材料から構成されている。毛束は毛髪保持具２内に挿入されて保持される。毛髪保持具２は、一端部及び他端部を有しており、各端部は開口している。両端部のうち上端部は毛髪取り込み口２ａとなっている。毛髪保持具２の長さは、処理すべき毛髪の長さに応じて適切な長さとされており、一般に５０〜６００ｍｍ程度の範囲である。
【００１３】
毛髪保持具２を構成する材料としては、各種可撓性材料が用いられる。その例としては、不織布、多孔性又は非多孔性の樹脂フィルム、紙、樹脂ネット、又はこれらの複合体などが挙げられ、毛髪処理器具１の具体的用途に応じて適切な材料が選択される。例えば、毛髪保持具２内に挿入された状態の毛髪に毛髪処理剤を施す場合、挿入されている毛髪のみに毛髪処理剤を施したいときには、該毛髪処理剤に対して非透過性を有する材料を用いればよい。また、挿入されている毛髪に対して毛髪保持具２の外部から毛髪処理剤を施したいときには、該毛髪処理剤に対して透過性を有する材料を用いればよい。
【００１４】
図１に示すように、毛髪保持具２には、その外側面に沿って、該毛髪保持具２の巻き上げ手段としての巻き上げ用糸４が、スパイラル状に取り付けられている。巻き上げ用糸４は、毛髪保持具２内に挿入された状態の毛髪を、該毛髪保持具２ごと巻き上げる手段として用いられる。本明細書において巻き上げとは、毛髪に所定のくせ付けをすること全般を意味し、本来の巻き上げ（スパイラル状の巻き上げ）に加えて例えば湾曲や屈曲なども包含される。
【００１５】
巻き上げ用糸４は、図１に示すように扁平な状態となした毛髪保持具２における左右両側部に互い違いに形成された挿通孔５ａ，５ｂに、ジグザグの軌跡を描くように挿通されることで、毛髪保持具２に取り付けられている。詳細には、毛髪保持具２はこれを扁平な状態となした状態において、その左右両側部に第１の挿通孔５ａからなる第１の挿通孔列６ａと、第２の挿通孔５ｂからなる第２の挿通孔列６ｂとを有している。第１の挿通孔列６ａにおける隣り合う挿通孔５ａ，５ａの間隔は一定になっている。第２の挿通孔列６ｂにおいても同様であり、その間隔は第１の挿通孔列６ａと同じになっている。そして、各挿通孔列６ａ，６ｂにおける挿通孔５ａ，５ｂは、互いに半ピッチずれるように互い違いに配置されている。図１に示すように、巻き上げ用糸４は、毛髪保持具２の裏面側から表面側に向けて第１の挿通孔５ａを挿通され、その位置から斜め右上方に位置する第２の挿通孔５ｂに向けて、毛髪保持具２の表面側における側面に沿って配されている。そして、第２の挿通孔５ｂにおいて、毛髪保持具２の表面側から裏面側に向けて挿通されている。第２の挿通孔５ｂを挿通された巻き上げ用糸４は、その位置から斜め左上方に位置する第１の挿通孔５ａに向けて、毛髪保持具２の裏面側における側面に沿って配されている。以後この挿通が繰り返される。その結果、巻き上げ用糸４はジグザグの軌跡を描くことになる。
【００１６】
巻き上げ用糸４は、毛髪保持具２に形成された挿通孔５ａ，５ｂのうち、最も下部に位置する挿通孔（図１においては第１の挿通孔列６ａにおける最も下部に位置する第１の挿通孔５ａ）の位置において、毛髪保持具２に固定されて、引き抜かれないようになされている。一方、毛髪保持具２における最も上部に位置する挿通孔（図１においては、第２の挿通孔列６ｂの最も上部に位置する第２の挿通孔５ｂ）においては、巻き上げ用糸４は自由状態になっている。これによって、巻き上げ用糸４の他端を引っ張ると、毛髪保持具２は、スパイラル状に変形することになる（これについては更に後述する）。
【００１７】
巻き上げ用糸４は、これを引っ張って毛髪の巻き上げ操作を行うときに、引きちぎれない程度の強度及び巻き上げ操作を円滑に行い得る柔軟性を有していることが好ましい。この点から、巻き上げ用糸４は各種樹脂などの合成物、木綿や麻などの天然物、レーヨンなどの半天然物、各種金属、又はこれらの複合体などから構成されていることが好ましい。また、巻き上げ用糸４は、糸状のものに限られず、例えば細長い帯状のものであってもよい。
【００１８】
次に毛髪挿入具３について引き続き図１を参照しながら説明する。毛髪挿入具３は、細長形状の把持部７と、該把持部７の先端に取り付けられたフック部８とを備えている。フック部８は、毛髪保持具２内に挿入される毛束を引っかけるために用いられ、変形可能になされている。本実施形態の毛髪挿入具２は、一本の線材から構成されている。毛髪挿入具３を構成する線材の素材としては、前述した巻き上げ用糸４と同様のものを用いることができる。特に、操作性、取り扱い性及び毛髪処理剤に対する耐食性などの点から、金属製の針金を合成樹脂で被覆したものが好ましく用いられる。
【００１９】
毛髪挿入具３は毛髪保持具２内に挿入された状態で使用される。詳細には、図１に示すように、毛髪挿入具３のフック部８を毛髪保持具２の毛髪取り込み口２ａ側に向けて挿入された状態で使用される。この場合、使用前に毛髪挿入具３が予め個別に毛髪保持具２に取り付られた状態の毛髪処理器具１を用いてもよく、或いは毛髪処理器具１を使用するときに毛髪挿入具３を毛髪保持具２に取り付けてもよいが、予め取り付けられていることにより、製品の製造工程において最適な状態で毛髪保持具２に取り付けることができ、使用者が使用時に取り付ける場合に比べて、取り付けの失敗がない。また、毛髪挿入具３には、取り付けるのに必要とされる強度が要求されないので、糸やフィルムなどの安価な素材に単純な加工を施したものを用いることができ、毛髪挿入具３を生産性高く、低コストで製造できる。
【００２０】
毛髪処理器具１を使用するに先立ち、毛髪挿入具３のフック部８を、毛髪保持具２の毛髪取り込み口２ａから突出させる。そして、フック部８に所望量の毛束を引っかけ、この状態下に毛髪挿入具３の他端部から引き出されている毛髪挿入具３の把持部７を引っ張る。これによって、フック部８に引っかけられている毛束がフック部８と共に毛髪保持具２内に挿入される。フック部８が毛髪保持具２内に引き入れられると、該毛髪保持具２内の所定位置において、フック部８による毛束の引っかけが解除され、毛束は毛髪保持具２内に円滑に挿入される。フック部８は、毛髪保持具２の下端部を通じて毛髪保持具２の外に引き出される。この説明から明らかなように、毛髪挿入具３の全長は毛髪保持具２の全長よりも長くなっている。
【００２１】
毛髪挿入具３においては、そのフック部８が変形可能になされているので、該フック部８に所望量の毛束を引っかけて毛髪保持具２内に挿入する際に、仮にフック部８が毛髪取り込み口２ａに当たっても、それに対応して変形するので、毛束の挿入を円滑に行うことができる。特に、毛髪取り込み口２ａ及びその近傍が高剛性となるように加工されている場合には、フック部８が毛髪取り込み口２ａに当たった時に該フック部８の変形が促進され、毛束の挿入を一層円滑に行うことができる。
【００２２】
図１に示すように、毛髪保持具２には、その側面の一部を切り欠いて形成した開口部９が複数設けられている。詳細には、開口部９は、同図に示すように扁平な状態となした毛髪保持具２における一側部を「コ」字状に切り欠いて形成されており、毛髪保持具２の長さ方向に沿って一定の間隔をおいて配置されている。開口部９は、毛髪保持具２内に保持された毛束の先端を、該開口部９を通じて毛髪保持具２の外部に出すためのものである。この目的のために、開口部９はその周長が５〜８０ｍｍ程度となるように切り欠かれて形成されていることが好ましい。毛束の先端は、複数ケ所の開口部９うちの何れか一カ所から外部に出ればよい。従って開口部９は少なくとも一カ所形成されていればよい。しかし毛髪保持具２内に挿入される毛束の長さは頭部の部位によってまちまちであることから、種々の長さの毛束に対応可能なように、本実施形態においては毛髪保持具２の複数ケ所に開口部９が形成されている。
【００２３】
毛髪保持具２における開口部９の形成位置は、毛髪保持具２内に毛束が挿入された状態下に巻き上げ用糸４を引っ張って毛髪を毛髪保持具２と共にスパイラル状に巻き上げたときに、そのスパイラル状の巻き上げ形態において開口部９が外方に向けて露出するような位置とすることが好ましい（後述する図２（ｄ）参照）。これによって毛束の先端を開口部９から容易に引き出すことができる。
【００２４】
本実施形態の毛髪処理器具を用いた毛髪処理方法について、パーマネントウエーブ処理を例にとり図２（ａ）〜図２（ｄ）を参照しながら説明する。先ず図２（ａ）に示すように、毛髪保持具２内に毛髪挿入具３が挿入され、該毛髪挿入具３のフック部８が、毛髪保持具２の毛髪取り込み口２ａから突出している状態の毛髪処理器具１を用意する。毛髪保持具２の下端部からは、毛髪挿入具３の把持部７の端部が引き出されている。本実施形態においては、毛髪保持具２として、パーマネント処理剤に対して透過性の材料、例えば不織布や樹脂製ネットから構成されているものを用いている。この状態下に、毛髪挿入具３のフック部８に所望量の毛束を通して引っかける。図示するように、フック部８は毛束の根元付近に位置させることが、挿入を確実にする点から好ましい。
【００２５】
次に図２（ｂ）に示すように、毛髪保持具２の毛髪取り込み口２ａ付近の位置を一方の手（図示せず）で軽く押さえる。また毛髪保持具２の下端部から引き出されている毛髪挿入具３の把持部７の端部（図示せず）を他方の手（図示せず）で把持し、毛髪挿入具３を毛髪保持具２の外に引き出す。その操作によって、フック部８に引っかけられていた毛束が首尾良く毛髪保持具２内に挿入、収納される。毛髪保持具２はその全長が、挿入すべき毛髪の長さよりも長くなっているので、毛髪はその全長に亘って毛髪保持具２内に挿入される。
【００２６】
次いで、毛束の先端に最も近い位置に設けられている開口部９を通じて毛束の先端を毛髪保持具２の外部に引き出す。引き出しに際しては、例えば細長い柄を有する櫛における当該柄の部分を利用すると簡便である。また、毛束の先端と開口部９との距離が或る適切な範囲の場合には、毛束を毛髪保持具２内に挿入すると、毛束の自身の反発力に起因してその先端が開口部９を通じて自発的に外部に出ることもある。
【００２７】
毛髪が毛髪保持具２内に挿入されたら、図２（ｃ）に示すように、毛髪保持具２の毛髪取り込み口２ａ付近の位置を一方の手（図示せず）で軽く押さえる。この状態下に、毛髪保持具２の外側面に巻き付けられている巻き上げ用糸４の自由端を引っ張る。すると図２（ｄ）に示すように、毛髪は毛髪保持具２と共にスパイラル状に巻き上げられて、小さく纏められる。この状態を保持するために、毛髪保持具２から引き出されている巻き上げ用糸４の根元を、例えば固定手段としてのクリップ（図示せず）で係止する。
【００２８】
図２（ｄ）から明らかなように、スパイラル状に巻き上げられた状態の毛束はその先端が、開口部９を通じて毛髪保持具２の外部に出ている。その長さは５〜５０ｍｍ程度であることが好ましい。また同図から明らかなように、毛髪保持具２に形成された各開口部９は、毛髪保持具２のスパイラル状の巻き上げ形態において外方に向けて露出している。
【００２９】
以上の操作を、パーマネントウエーブ処理を施したい部位全体に対して行う。次いでこの状態下に、毛髪保持具２に向けて第１のパーマネント処理剤（還元剤）を付与する。前述の通り毛髪保持具２はパーマネント処理剤に対して透過性の材料から構成されているので、パーマネント処理剤は毛髪保持具２を透過して毛髪に施される。所定時間放置後、毛髪保持具２に向けて第２のパーマネント処理剤（酸化剤）を付与し、再び所定時間放置する。これによって、毛髪保持具２内に挿入されている毛髪に対して、その巻き上げ形態のパーマネントウエーブがかけられる。その後、巻き上げ用糸４に取り付けられたクリップ（図示せず）を外し、毛髪の巻き上げ状態を解除する。引き続き毛髪を毛髪保持具２から取り出し、すすぎ洗いをし、更にシャンプー及びブローをする。
【００３０】
このようにしてパーマネントウエーブ処理された毛束においては、その先端にはウエーブがかかっておらず、毛束全体にウエーブをかけた場合と比べて印象の異なるヘアスタイルとなる。従ってヘアスタイルのバリエーションが広がる。また毛髪保持具２の開口部９から出ている毛束の先端にパーマネント処理剤が振りかからないように処理を行えば、当該先端に与えるダメージを低くすることができる。
【００３１】
前述の処理方法においては、毛髪保持具２と共に毛束を巻き上げる前にその先端を毛髪保持具２の外部に引き出したが、図２（ｄ）から明らかなように、毛髪保持具２の巻き上げ状態においては、各開口部９は外方に向けて露出しているので、巻き上げ後に開口部９を通じて毛束の先端を毛髪保持具２の外部に引き出してもよい。また、毛束の巻き上げ操作中に、毛束の自身の反発力に起因してその先端が開口部９を通じて自発的に外部に出ることもある。
【００３２】
本発明においては、図１に示す実施形態の毛髪保持具２に代えて図３（ａ）〜（ｄ）に示す形態の毛髪保持具を用いることもできる。図３（ａ）〜（ｄ）に示す形態の毛髪保持具においては、開口部９の形成位置及び形状が図１に示すものと異なる以外は図１に示す実施形態の毛髪保持具と同様である。図３（ａ）に示す毛髪保持具２においては、扁平な状態となした毛髪保持具２における表面側及び裏面側の左右両側部を除く中央部に、水平方向に延びる横長の矩形の開口部９が設けられている。開口部９は毛髪保持具２の長さ方向に沿って一定の間隔をおいて位置している。開口部９は、毛髪保持具２の側面に沿って配されている巻き上げ用糸４と交差するような位置に配されている。図３（ｂ）に示す毛髪保持具２においては、扁平な状態となした毛髪保持具２における表面側及び裏面側の左右両側部を除く中央部に、斜め上方に延びる細長い矩形の開口部９が設けられている。開口部９は、第２の挿通孔５ｂの近傍から、斜め上方に位置する第１の挿通孔５ａの近傍に向かって延びている。そして開口部９は毛髪保持具２の長手方向に沿って一定の間隔をおいて配置されている。図３（ｃ）に示す毛髪保持具２は、図３（ａ）に示すそれと類似している。両者が相違する点は開口部９の形状である。図３（ｃ）に示す毛髪保持具２では開口部９が横長の楕円形となっている。図３（ｄ）に示す毛髪保持具２では、巻き上げ用糸４が描くジグザグの軌跡と交差しない位置に、丸みを帯びた二等辺三角形の開口部９が形成されている。開口部９はその三角形の頂点が斜め下方を向くように形成されている。以上、図３（ａ）〜（ｄ）に示す毛髪保持具２の開口部９はいずれも、図１に示す開口部９と同様に、毛髪保持具２を毛髪と共にスパイラル状に巻き上げたときに、そのスパイラル状の巻き上げ形態において開口部９が外方に向けて露出するような位置に形成されている。
【００３３】
図４（ａ）〜（ｃ）は図１に示す形態の毛髪保持具２の別の例である。図４（ａ）〜（ｃ）に示す毛髪保持具２が図１に示すそれと大きく異なる点は、挿通孔の形成位置である。詳細には、図１に示す毛髪保持具においては、第１及び第２の挿通孔列６ａ，６ｂは、扁平な状態となした毛髪保持具２における左右両側縁の直ぐ近傍に形成されていたが、図４（ａ）〜（ｃ）に示す毛髪保持具２においては、第１及び第２の挿通孔列６ａ，６ｂは、扁平な状態となした毛髪保持具２における左右両側部に所定幅を残してその内側に形成されている。換言すれば、図４（ａ）〜（ｃ）に示す毛髪保持具２における第１及び第２の挿通孔列６ａ，６ｂ間の間隔は、図１に示す毛髪保持具における第１及び第２の挿通孔列６ａ，６ｂ間の間隔よりも狭くなっている。各挿通孔列における挿通孔の配置位置は、図４（ａ）〜図４（ｃ）に示す毛髪保持具２と図１に示すそれとで同じになっている。図４（ａ）〜（ｃ）に示す毛髪保持具２における巻き上げ用糸４を引っ張ると、図１に示す毛髪保持具と同様にスパイラル状の巻き上げ形態となる。しかし、図１に示す毛髪保持具のスパイラル状の巻き上げ形態は、そのスパイラルの軸方向から見たときに略円形となるのに対して、図４（ａ）〜（ｃ）に示す毛髪保持具２のスパイラル状の巻き上げ形態は、そのスパイラルの軸方向から見たときに例えば略三角形などの多角形となる。
【００３４】
図４（ａ）に示す毛髪保持具２においては、扁平な状態となした毛髪保持具２における左右両側部を「コ」字状に切り欠いて開口部９が形成されている。それぞれの側部における開口部９は一定の間隔をおいて形成されている。そして、それぞれの側部における開口部９は互いに半ピッチずつずれるように配置されている。図４（ｂ）に示す毛髪保持具２においては、扁平な状態となした毛髪保持具２における表面側の一側縁からやや内方寄りの位置に、縦長の矩形のくり抜きを形成して開口部９となしている。このくり抜きは該開口部９に対応する位置の裏面側には形成されていない。裏面側においては、表面側に設けられた開口部９と反対位置にある側縁からやや内方寄りの位置に、同様に縦長の矩形のくり抜きを形成して開口部９となしている。表面側及び裏面側それぞれに形成されている開口部９は、毛髪保持具２の長手方向にそれぞれ一定の間隔をおいて形成されている。そして、それぞれの面側における開口部９は互いに半ピッチずつずれるように配置されている。図４（ｃ）に示す毛髪保持具２は図４（ａ）に示すそれと類似のものであり、両者が異なる点は切り欠きにより形成した開口部９の形状である。つまり図４（ｃ）に示す毛髪保持具２における開口部９は、図４（ａ）に示すそれと異なり丸みを帯びている。以上、図４（ａ）〜（ｃ）に示す毛髪保持具２の開口部９はいずれも、図１に示す開口部９と同様に、毛髪保持具２を毛髪と共にスパイラル状に巻き上げたときに、そのスパイラル状の巻き上げ形態において開口部９が外方に向けて露出するような位置に設けられている。
【００３５】
図５（ａ）〜（ｃ）に示す形態の毛髪保持具２は、これまでに説明した毛髪保持具とは巻き上げ用糸の挿通の態様が異なる。詳細には巻き上げ用糸４は、扁平な状態となした毛髪保持具４における長手方向に沿う縦中心線上に所定間隔をおいて形成された挿通孔５に、ぐし縫い状の軌跡を描くように挿通されることで、毛髪保持具２に取り付けられている。巻き上げ用糸４は、挿通孔５のうち、最も下部に位置する挿通孔の位置において、毛髪保持具２に固定されて、引き抜かれないようになされている。巻き上げ用糸４を引っ張って図５（ａ）〜（ｃ）に示す毛髪保持具２を巻き上げると、該毛髪保持具２は蛇腹状（ジグザグ状）の巻き上げ形態となる。
【００３６】
図５（ａ）に示す毛髪保持具２においては、扁平な状態となした毛髪保持具２における左右両側部を「コ」字状に切り欠いて開口部９が形成されている。開口部９は毛髪保持具２の長さ方向に沿って一定の間隔をおいて配置されている。それぞれの側部に形成されている開口部９は、毛髪保持具２の長手方向に関して同じ高さの位置に形成されている。図５（ｂ）に示す毛髪保持具２においては、扁平な状態となした毛髪保持具２における表面側の左右両側部に、半長円形のくり抜きを形成して開口部９となしている。開口部９は、毛髪保持具２の長手方向に一定の間隔をおいて形成されている。また同図に示す毛髪保持具２においては、裏面側の左右両側部に、同様に半長円形のくり抜きを形成して開口部９’となしている。開口部９’も、毛髪保持具２の長手方向に一定の間隔をおいて形成されている。開口部９と開口部９’とは配置のピッチが同じであり、互いに半ピッチずつずれるように表面側及び裏面側それぞれに形成されている。図５（ｃ）に示す毛髪保持具２においては、扁平な状態となした毛髪保持具２における一側部を半長円形に切り欠いて開口部９となしている。以上、図５（ａ）〜（ｃ）に示す毛髪保持具２の開口部９、９’はいずれも、毛髪保持具２を毛髪と共に蛇腹状に巻き上げたときに、その蛇腹状の巻き上げ形態において開口部９，９’が外方に向けて露出するような位置に設けられている。具体的には蛇腹状の巻き上げ形態における山折りされた稜線部分に開口部９，９’が位置するように設けられている。
【００３７】
図６に示す形態の毛髪保持具２’は、挿通孔５ａ，５ｂの配置の位置及び巻き上げ用糸４の挿通の形態が図１に示す毛髪保持具２と同様である。しかし、これまでに説明した毛髪保持具と異なり、図６に示す毛髪保持具２’には開口部が形成されていない。これに代えて毛髪保持具２’には、水平方向に延びるミシン目１０が複数ケ所設けられている。ミシン目１０は、毛髪保持具２を幅方向に切断してその長さを調整するためのものである。具体的には、毛髪保持具２’内に挿入された毛束の先端に最も近い位置に設けられているミシン目１０において毛髪保持具２’を切断して、毛束の先端を毛髪保持具２’の外部に出すために用いられる。従ってミシン目１０は少なくとも一カ所形成されていればよい。しかし毛髪保持具２’内に挿入される毛束の長さは頭部の部位やユーザーによってまちまちであることから、種々の長さの毛束に対応可能なように、本実施形態においては複数ケ所にミシン目が形成されている。
【００３８】
図６に示す毛髪保持具２’は、図示しない毛髪挿入具（図１参照）を備えた毛髪処理器具の状態で用いられる。この毛髪処理器具を用いた毛髪の処理方法は次の通りである。先ず、毛髪挿入具を用いて毛束を毛髪保持具２’内に挿入する。次いで、前述したように毛束の先端に最も近い位置に設けられているミシン目１０において毛髪保持具２’を切断して毛束の先端を毛髪保持具２’の外部に出す。この状態下に巻き上げ用糸４を引っ張り、毛束を毛髪保持具２’と共に蛇腹状に巻き上げる。然る後、毛束にパーマネント処理液などの毛髪処理剤を施す。このとき、巻き上げられた部分にのみパーマネント処理剤を振りかければ、その部分だけにウエーブがかかり、毛束の先端に与えるダメージを低くすることができる。またヘアスタイルのバリエーションも広がる。
【００３９】
図７に示す形態の毛髪保持具２” は、挿通孔５ａ，５ｂの配置の位置及び巻き上げ用糸４の挿通の形態が図１に示す毛髪保持具２と同様である。しかし、毛髪保持具２”には開口部が形成されていない。また前述したミシン目も設けられていない。これに代えて毛髪保持具２”には、毛髪保持具２”に取り付けられている巻き上げ用糸４における毛髪保持具２”の側面に沿う部分に、該巻き上げ用糸４を引っ張ることによる毛束の所定量以上の巻き上げを規制するためのストッパー１１が取り付けられている。ストッパー１１としては例えば巻き上げ用糸４に取り付けられたクリップ、プラスチック製の小球、巻き上げ用糸４に形成した大きな結び目などを用いることができる。この毛髪保持具２”を備えた毛髪処理器具を用いて毛束を巻き上げると、ストッパー１１から上に位置する毛束はスパイラル状に巻き上げられる。しかし、巻き上げ用糸４の引っ張り方向に関し、ストッパー１１が直近に位置する挿通孔において、当該挿通孔をストッパー１１が通過することができないことから、ストッパー１１よりも下に位置する毛束の巻き上げが規制される。つまり、毛束の先端及びその近傍は巻き上げられない。このような巻き上げ状態下に、毛束における巻き上げられた部分にのみパーマネント処理剤を振りかければ、その部分だけにウエーブがかかり、毛束の先端に与えるダメージを低くすることができる。またヘアスタイルのバリエーションも広がる。
【００４０】
図８に示す形態の毛髪保持具２”は、図７に示すそれと類似しており、巻き上げ用糸４にストッパー１１が取り付けられている。但し、ストッパー１１の取り付け位置は、毛髪保持具２”における最下部に位置する挿通孔のすぐ上である。巻き上げ用糸４が挿通されている挿通孔５ａ，５ｂの大きさは、ストッパー１１よりも大きくなっている。従って巻き上げ用糸４が引っ張られた場合、ストッパー１１はこれらの挿通孔５ａ，５ｂを通過できるようになっている。但し、ストッパー１１は、毛髪保持具２”における最上部に位置する挿通孔（図８においては、第２の挿通孔列６ｂの最も上部に位置する挿通孔５ｃ）を通過できないようになっている。つまり、挿通孔５ｃの大きさはストッパー１１の大きさよりも小さくなっている。本実施形態の毛髪保持具２”内に毛束を挿入した状態下に巻き上げ用糸４を引っ張る場合、ストッパー１１が各挿通孔５ａ，５ｂを通過可能であることから、毛髪保持具２”の全長にわたって毛束が巻き上げられる。しかし、巻き上げ用糸４は挿通孔５ｃを通過することができないので、ストッパー１１が挿通孔５ｃに突き当たった以降は、それ以上に巻き上げ用糸４を引っ張っても巻き上げは起こらない。つまり、毛束はその全体が巻き上げられるものの、ストッパー１１によって過度の巻き上げ（強い力での巻き上げ）が規制される。その結果、毛束全体を巻き上げるにもかかわらず、ダメージを受けやすい部位である毛先に大きな屈曲力が働かないので、毛先がダメージを受けにくくなる。本実施形態で用いられるストッパー１１としては、巻き上げ用糸４に取り付けられた小樹脂球、溶融樹脂の固化小塊、小さな結び目などを用いることができる。
【００４１】
本発明は前記実施形態に制限されない。例えば巻き上げ用糸を毛髪保持具に取り付ける態様は前述のものに限られず、毛束を所望の巻き上げ形態にできるものであればどのような取り付け形態でもよい。
【００４２】
また図１〜図５に示す実施形態においては、毛束の先端を毛髪保持具に設けられた開口部を通じて外部に出していたが、この開口部に代えて毛髪保持具にスリットを入れて該スリットを通じて毛束の先端を毛髪保持具の外部に出してもよい。
【００４３】
また前記実施形態においては毛髪の処理としてパーマネントウエーブ処理を例にとり説明したが、毛髪の処理はこれに限られず染毛を始めとする各種毛髪処理に本発明を適用することができる。
【００４４】
【発明の効果】
以上詳述した通り本発明によれば、毛髪の所望の部位にパーマネントウエーブや染毛などの各種毛髪処理を容易に行うことができる。また本発明によれば、毛髪の先端にダメージを与えることなくパーマネントウエーブや染毛などの各種毛髪処理を容易に行うことができる。更に本発明によれば、毛髪の巻き上げを容易に且つ短時間で行うことができる。
【図面の簡単な説明】
【図１】本発明の一実施形態の毛髪処理器具を示す模式図である。
【図２】図１に示す毛髪処理器具を用いた毛髪処理方法の説明図である。
【図３】本発明の毛髪処理器具における毛髪保持具の別の形態を示す模式図である。
【図４】本発明の毛髪処理器具における毛髪保持具の別の形態を示す模式図である。
【図５】本発明の毛髪処理器具における毛髪保持具の別の形態を示す模式図である。
【図６】本発明の毛髪処理器具における毛髪保持具の別の形態を示す模式図である。
【図７】本発明の毛髪処理器具における毛髪保持具の別の形態を示す模式図である。
【図８】本発明の毛髪処理器具における毛髪保持具の別の形態を示す模式図である。
【符号の説明】
１  毛髪処理器具
２  毛髪保持具
３  毛髪挿入具
４  巻き上げ用糸
５ａ  第１の挿通孔
５ｂ  第２の挿通孔
６ａ  第１の挿通孔列
６ｂ  第２の挿通孔列
７  把持部
８  フック部
９  開口部
１０  ミシン目
１１  ストッパー
【図１】
2004194901.tif 000003
【図２】
2004194901.tif 000004
【図３】
2004194901.tif 000005
【図４】
2004194901.tif 000006
【図５】
2004194901.tif 000007
【図６】
2004194901.tif 000008
【図７】
2004194901.tif 000009
【図８】
2004194901.tif 000010